(57)【要約】【課題】収納家具などの戸の表面の装飾を使用者において簡単に交換することが出来る戸を実現する。【解決手段】戸の周囲の枠２ａ、３ａ、４ａ、５ａに戸の表面に接し内側に開口する溝を形成するように加工６ａして、かつ枠の一部４ａを可動または着脱可能とすることにより表面を装飾した板等７ａを挿抜、交換することにより表面の装飾を簡単に交換できる戸を実現する。【選択図】図１
0003155899.tif 000002
【実用新案登録請求の範囲】
【請求項１】
戸の表面の周囲にある枠でありかつ戸内側にある戸表面から立ち上がる面に開口しその側壁面の一方が戸表面を流用するかまたは戸表面の延長面上にある溝を形成する枠であって枠の一部を可動、着脱可能、または開口して戸の表面を装飾する物等を上記の溝と戸の表面により保持、挿抜を可能とする事を特徴とした表面の装飾を容易に交換出来るようにした戸。
【請求項２】
平面状の戸表面の左右に表面に重なる部分を持つ枠を設け、その左右枠の上部および下部の左右枠間に上部枠および下部枠を有する構造として左右上下の各枠の表面に接する面と戸の内側に向いた面との接する角を切り欠き戸表面との間に戸表面内側に向かい開口する溝を形成しその溝と戸表面によって戸の表面を装飾する物等を保持することをを可能とし左右および下の枠は固定して上部枠の両端の一部を延長して凸部を設け左右枠上部に前記凸部を挟み上部枠を保持する凹部を設けることにより上部枠の着脱が出来るようにして戸の表面を装飾する物等の挿抜、保持を可能とする事を特徴とする戸の表面の装飾を容易に交換出来るようにした引戸。
【請求項３】
請求項２の引戸において左右枠のいずれかまたは両方にくぼみ等を設けて引き手とし開閉をより容易とした引戸。
【請求項４】
平面状の表面を持つ戸の周辺上下左右に戸の表面に重なる部分を持つ枠を設け上下左右の各枠は表面に接する面と戸の内側に向いた面との接する角を切り欠き表面との間に戸表面内側に向かい開口する溝を形成しその溝と戸表面により戸の表面を装飾する物等の保持を可能とし下部および左右枠を固定し上部枠を着脱出来るようにして戸の表面を装飾する物等の挿抜、保持を可能とするとともに戸の左右いずれかに丁番等の取り付け部を設けその反対側に取っ手機能を持たせかつ閉時の保持機能を持つことを特徴とする表面の装飾を容易に交換できる開き戸。
【請求項５】
請求項１、２，３，４の戸において戸の表面を装飾する物等を機能を持った表面材等とした表面材を容易に交換出来る戸。
【考案の詳細な説明】
【技術分野】
【０００１】  収納家具に関し特に表面の装飾が使用者において簡単に取替えが出来る戸に関する。
【背景技術】
【０００２】  従来から収納家具の戸の表面の装飾は特に和風収納家具にあっては装飾紙、絵画、書等を用いて装飾することがあってもそれを使用者が簡単に交換することは容易では無い。【０００３】  最近はデジタルカメラ、プリンター、パソコン等の普及により写真やアート作品を簡単に作れるし、また趣味の書や絵画、子供の作品等や時と場合に応じてあるいは季節感を表現した素材を収納家具の戸の装飾として簡単に交換して利用出来る事は家具の新たな楽しさとして、また趣味などを生かせる方策として期待できる。【０００４】  従来は例えば家具用扉及び該家具用扉を取着した収納家具が提案されている（特許文献１）、また同様に装飾シートなど表示可能な収納家具が提案されている（特許文献２）。
【先行技術文献】
【特許文献】
【０００５】
【特許文献１】特開平０８−１７３２５８号公報
【特許文献２】特開２００２−２８２０７３号公報
【考案の概要】
【考案が解決しようとする課題】
【０００６】  しかしながら特許文献１の家具用扉では額縁状枠体裏面のレール状止金具に鏡板を着脱する事により装飾の変更を可能としているが鏡板は相応の強度と精度が必要であり一般家庭で鏡板を簡単に製作、交換することは容易ではない。【０００７】  また特許文献２の装飾シートなどは表示可能な収納家具の前板部分は開口しており装飾シート押さえ板は押さえ爪で保持されているため強度上の問題が懸念され、また内容物に押さえ爪が引っ掛る等の恐れがある。【０００８】  本考案は上記の課題を解決する他、交換用の表面の装飾物等に高度な精度、強度等を必要としない様にして一般家庭において簡単に装飾物等を作成出来て収納家具の戸の表面の装飾を容易に交換できる戸を提供するものである。
【課題を解決するための手段】
【０００９】  本考案では戸の表面の周囲にある枠でありかつ戸内側にある戸表面から立ち上がる面に開口しその側壁面の一方が戸表面を流用するかまたは戸表面の延長面上にある溝を形成する枠であって枠の一部を可動、着脱可能、または開口して戸の表面を装飾する物等を上記の溝と戸の表面により保持、挿抜を可能とする事を特徴として表面の装飾を容易に交換出来るようにした戸を作製することができる。【００１０】  また戸の形状、用途に応じて引戸では平面状の戸表面の左右に表面に重なる部分を持つ枠を設け、その左右枠の上部および下部の左右枠間に上部枠および下部枠を有する構造として上下左右の各枠の表面に接する面と戸の内側に向いた面との接する角を切り欠き戸表面との間に戸表面内側に向かい開口する溝を形成しその溝と戸表面によって戸の表面を装飾する物等を保持することをを可能とし左右および下の枠は固定して上部枠の両端の一部を延長して凸部を設け左右枠上部に前記凸部を挟み上部枠を保持する凹部を設けることにより上部枠の着脱が出来るようにして戸の表面を装飾する物等の挿抜、保持を可能とすることを特徴として戸の表面の装飾を容易に交換できる引戸が実現できる。【００１１】  さらに必要に応じ、左右枠のいずれかまたは両方に引き手としてくぼみ等の手掛かりを設ける事により引戸の操作性を向上できる。【００１２】  また開き戸では平面状の表面を持つ戸の周辺上下左右に戸の表面に重なる部分を持つ枠を設け上下左右の各枠は表面に接する面と戸の内側に向いた面との接する角を切り欠き表面との間に戸表面内側に向かい開口する溝を形成しその溝と戸表面により戸の表面を装飾する物等の保持を可能とし下部および左右枠を固定し上部枠を着脱出来るようにして戸の表面を装飾する物等の挿抜、保持を可能とするとともに戸の左右いずれかに丁番等の取り付け部を設けその反対側に取っ手機能を持たせかつ閉時の保持機能を持つことを特徴として表面の装飾を容易に交換できる開き戸とする事が出来る。【００１３】  上記の戸の表面を装飾する物等を機能を持った表面材等（ここで記する機能を持ったとは光触媒効果などによる空気の浄化や、脱臭機能等のほか芳香を持つ等の働きを指す）として表面材を容易に交換出来る戸とすることも出来る。
【考案の効果】
【００１４】  本考案では戸の表面を装飾する部材等は戸の強度、精度等に関する高い機能は特に必要としないのでたとえば厚紙に装飾したい書画、写真、化粧紙等を貼り付けたり重ねる等して挿入することにより簡単に好みの表面装飾が簡単に実現できるため一般家庭で簡単に表面装飾の交換をするのに適している。【００１５】  また製作者側においても装飾紙等をセットとして提供する等の新たな商品価値を提供出来る。【００１６】  溝に保持される部分以外は厚みがあっても取り付け可能であり油絵やレリーフなどの装飾も利用可能でありさらに応用範囲を広げることが出来るほか、表面の装飾板は使用者にゆだねることが出来るので透明な保護板などを併せる事も可能である。【００１７】  さらに機能を持った表面材を使用することにより一層活用の場を広げることが出来る。
【図面の簡単な説明】
【００１８】
【図１】本考案の実施例（引戸）を示す斜視図である。
【図２】本考案の適用例（開閉戸）を示す平面図である。
【考案を実施するための形態】
【００１９】  本考案の実施例等にもとづき説明する。なお図は表現の都合上要点のみとし、寸法の比例関係等必ずしも厳密に表現していない。
【実施例】
【００２０】  図１は本考案の実施例（引戸）を示すものであり上枠４ａおよび表面を装飾した薄板７ａは取り外した状態の斜視図であり１ａは平たんな戸の表面であり２ａ，３ａは左および右の枠、４ａ，５ａは上および下の枠であり上下左右の各枠の表面に接する面と戸内側に当たる面の交差部分を６ａに示すように表面装飾をした薄板が入る寸法にＬ形に切欠いてあり表面との間に形成した溝に表面を装飾した薄板７ａを挿入、保持できる。左右及び下枠２ａ、３ａ、５ａは戸に対して固定してあり上枠４ａはその両端に凸部８を設け左右の枠の上部には前記凸部を挿入保持する凹部９を有して上枠を着脱することを可能とし、したがって装飾した薄板を上部より挿抜することにより図１に示すように表面の装飾が簡単に交換できる引戸が作成できる。【００２１】  なおこの実施例は引戸であり戸の上下には引戸を着脱、保持、移動させるための敷居等のガイド部に収まるためのかん合部１０を確保してあり、右枠３ａにはくぼみを設けて引き手１１としてある。【００２２】  この実施例では溝巾約２ｍｍ、溝の深さ約５ｍｍとなるように調製し、表面の装飾板として厚さ約０．５ｍｍの工作用紙に包装紙やインクジェット印刷をした用紙を貼り付けたもの等を使用しサイズは縦約３０ｃｍ、横約４０ｃｍとしたが問題なく表面の装飾とその交換が簡単に出来た。【００２３】  図２は開閉戸における本考案の適用例（開閉戸）を示す平面図であり上枠４ｂは外した状態であり１ｂは戸の表面であり２ｂ，３ｂは左および右の枠、４ｂ，５ｂは上および下の枠であり上下左右の各枠の表面に接する面と戸内側に当たる面の交差部分を６ｂに示すように表面装飾をした薄板が入る寸法にＬ形に切欠いてあり戸表面との間に溝を形成し表面を装飾した薄板７ｂが挿入、保持できる。左右及び下枠２ｂ、３ｂ，５ｂは戸に対して固定してあり上枠４ｂは着脱出来る様ネジ止め１２としてあり装飾した薄板７ｂを上部より挿抜することにより表面の装飾が簡単に交換できる開閉戸が作成できる。なお着脱の方法としてははめ合いなどその他の方法であっても本考案は実現できる。
【符号の説明】
【００２４】１ａ、１ｂ・・・・・戸の表面
２ａ、２ｂ・・・・・左枠
３ａ、３ｂ・・・・・右枠
４ａ、４ｂ・・・・・上枠
５ａ、５ｂ・・・・・下枠
６ａ、６ｂ・・・・・Ｌ型切欠き
７ａ、７ｂ・・・・・表面を装飾した薄板
８・・・・・・・・・上枠の着脱用凸部
９・・・・・・・・・保持用凹部
１０・・・・・・・・敷居等のガイド溝とのかん合部
１１・・・・・・・・ひき手
１２・・・・・・・・上枠取り付けネジ
１３・・・・・・・・ネジ穴
１４・・・・・・・・雌ネジ穴
１５・・・・・・・・丁番取り付け部
１６・・・・・・・・取っ手
１７・・・・・・・・閉時保持用鉄片
【図１】
0003155899.tif 000003
【図２】
0003155899.tif 000004
【手続補正書】
【提出日】平成21年9月7日(2009.9.7)
【手続補正１】
【補正対象書類名】実用新案登録請求の範囲
【補正対象項目名】全文
【補正方法】変更
【補正の内容】
【実用新案登録請求の範囲】
【請求項１】
戸の表面の周囲にある枠でありかつ戸内側にある戸表面から立ち上がる面に開口しその側壁面の一方が戸表面を流用するかまたは戸表面の延長面上にある溝を形成する枠であって枠の一部を可動、着脱可能、または開口して戸の表面を装飾する物を上記の溝と戸の表面により保持、挿抜を可能とする事を特徴とした表面の装飾を容易に交換出来るようにした戸。
【請求項２】
平面状の戸表面の左右に表面に重なる部分を持つ枠を設け、その左右枠の上部および下部の左右枠間に上部枠および下部枠を有する構造として左右上下の各枠の表面に接する面と戸の内側に向いた面との接する角を切り欠き戸表面との間に戸表面内側に向かい開口する溝を形成しその溝と戸表面によって戸の表面を装飾する物を保持することをを可能とし左右および下の枠は固定して上部枠の両端の一部を延長して凸部を設け左右枠上部に前記凸部を挟み上部枠を保持する凹部を設けることにより上部枠の着脱が出来るようにして戸の表面を装飾する物の挿抜、保持を可能とする事を特徴とする戸の表面の装飾を容易に交換出来るようにした引戸。
【請求項３】
請求項２の引戸において左右枠のいずれかまたは両方にくぼみを設けて引き手とし開閉をより容易とした引戸。
【請求項４】
平面状の表面を持つ戸の周辺上下左右に戸の表面に重なる部分を持つ枠を設け上下左右の各枠は表面に接する面と戸の内側に向いた面との接する角を切り欠き表面との間に戸表面内側に向かい開口する溝を形成しその溝と戸表面により戸の表面を装飾する物の保持を可能とし下部および左右枠を固定し上部枠を着脱出来るようにして戸の表面を装飾する物の挿抜、保持を可能とするとともに戸の左右いずれかに丁番の取り付け部を設けその反対側に取っ手機能を持たせかつ閉時の保持機能を持つことを特徴とする表面の装飾を容易に交換できる開き戸。
【請求項５】
請求項１〜４のいずれか一項に記載の戸において戸の表面を装飾する物を機能を持った表面材とした表面材を容易に交換出来る戸。